(57)【要約】      （修正有）【課題】固定穴を設けレピアテープに直角に固定されるクレストを有する、改良したレピアテープヘッドを提供する。【解決手段】クレストの固定は熱可塑性樹脂の接続要素（５）を使用し、クレストの一部を囲み且つレピアテープヘッドに沿って延びた穴（６ａ、６ｂ）へ入る材料によって実現される。レピアテープとクレストで形成される組立体の端部は、レピアテープ（３）の表面と補剛クレスト（４）の重なっているブラケット延長部（７，８，９）の表面との間にグリッパ（１）の表面を束ね締着するように形作られている。レピアテープ（３）の下側部分では、連続的なあるいは局部的な（中断した）突出ブロックが、レピアテープヘッド（２）の支持機能を備え、レピアテープ（３）の下面から突出するグリッパの解決策と関連して、ヒ口の経路に沿い横方向経路に関してレピアテープヘッド（２）の最適な位置決めを保証する。【選択図】図３
2007063740.tif 000002
【特許請求の範囲】
【請求項１】
一連の固定開口又は穴（６ａ，６ｂ）の存在によりレピアテープヘッド（２）に固定される、グリッパ（１）の少なくとも１つの補剛及び支持クレスト（４）を包含する、レピア織機のためのレピアテープヘッド（２）において、グリッパ（１）の前記支持クレスト（４）が所定の材料で予め形成され、１つ以上の接続要素（５）によってレピアテープヘッド（２）に定位置に固定されることを特徴とする、改良したレピアテープヘッド。
【請求項２】
請求項１記載のレピアテープヘッド（２）において、テープ（３）の下側に、１つ以上の連続的あるいは局部的な突出ブロック（１０）が設けられて、レピアテープ（３）の下面から突出するグリッパを使用する場合に、横方向経路に関してレピアテープヘッド（２）の最適な位置決めを維持するようにしたことを特徴とする、改良したレピアテープヘッド。
【請求項３】
請求項１記載のレピアテープヘッド（２）において、前記予め形成されたクレスト（４）が、レピアテープ（３）の長手方向軸に沿って、当接状態であるいは所定の間隙を離れて、レピアテープヘッド（２）に直角に固定されることを特徴とする、改良したレピアテープヘッド。
【請求項４】
請求項１記載のレピアテープヘッド（２）において、前記熱可塑性材料が少なくとも部分的に前記予め形成されたクレスト（４）を囲み、レピアテープヘッド（２）上に延び、クレスト（４）及びレピアテープヘッド（２）の前記固定穴（６ａ，６ｂ）内に挿入されることを特徴とする、改良したレピアテープヘッド。
【請求項５】
請求項１記載のレピアテープヘッド（２）において、前記予め形成されたクレスト（４）が前記レピアテープ（３）の先端で終わり、少なくとも１つのブラケット形の部分又は延長部（７，８，９）がレピアテープ（３）と平行で、前記レピアテープ（３）から離間していて、レピアテープ（３）、グリッパ及び前記予め形成されたクレスト（４）の端部を挿入し一緒に堅固に束ね接続することを特徴とする、改良したレピアテープヘッド。
【請求項６】
請求項５記載のレピアテープヘッド（２）において、前記ブラケット形の延長部（７，８，９）が射出によって、あるいは挿入によって実現されることを特徴とする、改良したレピアテープヘッド。
【請求項７】
請求項１記載の改良したレピアテープヘッド（２）を実現する方法において、前記接続要素（５）が、前記レピアテープ（３）と前記予め形成されたクレスト（４）との間で熱可塑性材料を射出することによって熱可塑性成形材料で実現されることを特徴とする、方法。
【請求項８】
請求項７記載の方法において、熱可塑性材料の前記射出が、前記予め形成されたクレスト（４）との接続の後にレピアテープヘッド（３）の最終平面度を保証するために不連続部分で実現されることを特徴とする、方法。
【請求項９】
請求項５記載のレピアテープヘッド（２）において、前記ブラケット形の延長部（７，８，９）がＣ形断面を有することを特徴とする、改良したレピアテープヘッド。
【請求項１０】
請求項９記載のレピアテープヘッド（２）において、前記ブラケット形の延長部（７，８，９）が、完全にプラスチック材料で実現され、あるいは、内部補強材を設けていて、Ｃ形の中央部分がレピアテープ３の表面と平行で且つ前記レピアテープ３の表面から所定の距離に位置されることを特徴とする、改良したレピアテープヘッド。    
【請求項１１】
請求項５記載のレピアテープヘッド（２）において、前記接続要素（５）が前記ブラケット形の延長部（７，８，９）を含んでいることを特徴とする、改良したレピアテープヘッド。
【請求項１２】
請求項５記載のレピアテープヘッド（２）において、前記ブラケット形の延長部（７，８，９）が挿入され、ねじ、リベット、熱可塑性要素及び／又は貼り付けのような固定要素により確保される接続によって取り付けられることを特徴とする、改良したレピアテープヘッド。
【請求項１３】
請求項５記載のレピアテープヘッド（２）において、前記ブラケット形の延長部（７，８，９）がレピアテープ（３）と平行でそれから離間して、グリッパ（１）の表面を延長部とレピアテープ（３）との間に束ねて締着することを特徴とする、改良したレピアテープヘッド。
【請求項１４】
請求項５記載のレピアテープヘッド（２）において、グリッパがレピアテープ（３）の下側部分へ突出するタイプである場合に、前記レピアテープ（３）の下面から１つ以上のブロック（１０）が突出して、前記レピアテープヘッド（２）とグリッパの滑り面との間で最適な位置を確保するようにしたことを特徴とする、改良したレピアテープヘッド。
【発明の詳細な説明】
【技術分野】
【０００１】
本発明は、任意のタイプの適切な材料及び非熱可塑性物質で作ることができるクレスト（峰）を有し、ヒ口内での横方向交互運動においてグリッパ・レピアテープ組立体の機能ニーズのために剛性及び幾何学的直線性の最適特性を得ることを可能にする、レピア織機のためのレピアテープヘッドに関する。
【０００２】
本発明によるレピアテープヘッドの構造は、グリッパをレピアテープに固定するのにも適応する。
【背景技術】
【０００３】
周知のように、レピア織機では、各グリッパは、たて糸により形成されるヒ口の内部及び外部を、複合材料で一般に実現されるレピアテープによって交互運動で移動され、レピアテープのヘッドにグリッパが固定される。
【０００４】
クレストをレピアテープに固定する異なる様式が知られている。
【０００５】
それらの様式は、本質的に、部品のリベット結合あるいはねじ留めから成るが、これらの部品は、レピアテープヘッドによって要求される一貫した平面度を保証できないとともに、ヘッドとクレストとの密接さえも保証できずグリッパに望ましくない振動を生起し得る外乱要素を構成する。
【０００６】
上記不具合を克服するために、レピアテープヘッド上にクレストを直接成形することにより、固定が実現された。こうして得られた、レピアテープヘッドと密接するクレストは、テープヘッドに安定して接続される。
【０００７】
しかしながら、この解決策も幾つかの不具合を示し、主たるものは、クレストが耐摩耗性及び剛性ついて特定の特性を有していなければならないので、クレストを実現させる材料の選択が制限されることである。
【０００８】
さらに、熱可塑性材料は、その凝固中あるいはその後に変形して、テープ自体の平面度を変更するクレスト・レピアテープ複合体の変形を引き起こし得る。
【０００９】
更なる解決策は、クレストをテープに貼り付けることから成るが、この場合にも、品質の一貫性の問題を有することに加え、機械的に困難な性能のために接続が十分に有効でないことに直面する。
【発明の開示】
【発明が解決しようとする課題】
【００１０】
従って、本発明の目的は、上記不具合を克服し、そして特に、その構造がレピアテープ表面に有効に固定できるように適合されている、レピア織機のための改良したレピアテープヘッドを実現することにある。
【００１１】
本発明の他の目的は、そのクレストが任意の所望の材料で実現できるようにした、レピア織機のための改良したレピアテープヘッドを実現することにある。
【００１２】
本発明の他の目的は、レピアテープ、グリッパ及びクレストによって形成される組立体を束ね締着できる形状を有する、レピア織機のための改良したレピアテープヘッドを実現することにある。
【００１３】
本発明の更なる目的は、レピアテープの表面の下側に突出するグリッパが使用される場合でさえ、ヒ口内でのグリッパの横方向経路に関して最適な位置決めを確保することにある。
【００１４】
本発明の最後ではない目的は、簡素でコンパクトな構造であり、複雑及び／又は高価な機械部品を無くした、レピア織機のための改良したレピアテープヘッドを実現することにある。
【課題を解決するための手段】
【００１５】
これらの目的は、請求項１によるレピア織機のための改良したレピアテープヘッドを実現することにより、達成される。他の特徴は後続の請求項に記載されている。
【００１６】
有益的に、本発明によると、熱可塑性成形材料は、予め作られたクレストをテープヘッドに固定するために接続要素として使用される。
【００１７】
このような方法で、実際に、レピアの支持クレストは、レピアテープのヘッドを堅くし、糸によって引き起こされる摩耗に抵抗し、且つ正確で信頼性のある態様でグリッパの端部をレピアテープのヘッドに接続するために、最も適応された材料及び形状で実現することができる。
【発明を実施するための最良の形態】
【００１８】
本発明によるレピア織機のための改良したレピアテープヘッドの更なる特徴及び利点は、非限定的で実例として挙げた下記の説明及び図面より明白となるであろう。
【００１９】
特に図１及び２に関し、織機において通常使用されるグリッパ１は、総括的に１で示される一方、レピアテープは３で示され、レピアテープヘッド２を装備している。
【００２０】
図３，４及び５に関し、織機のレピアテープは３で示され、レピアテープ３のクレスト（峰）は４で示され、レピアテープ３とクレスト４との間の一連の接続要素は５で示され、クレスト４とレピアテープ３との間の接続要素５のそれぞれの固定穴は６ａ及び６ｂで示されている。
【００２１】
図３において、レピアテープ３上への射出によって実現された、７で示したブラケットの第１の実施例が示されている。また、図４では、８で示されたブラケットの変形例は、挿入形式で示されている一方、図５では、更なる挿入形式のブラケット９は、部分９ａ，９ｂを実現して示されている。
【００２２】
本発明によれば、予め作られたクレスト４は、１つ以上の接続要素５によってレピアテープヘッド３に固定され、これらの接続要素は、レピアテープ３とクレスト４との間に熱可塑性材料を射出することによって、熱可塑性成形材料で実現されている。
【００２３】
接続要素５を構成する熱可塑性材料の射出は、クレスト４との接続の後にレピアテープヘッド３の最終平面度を保証するために、好適には不連続部分で実現されている。
【００２４】
このような方法で、グリッパの支持クレスト４は、レピアテープ３のヘッドを堅くし且つグリッパの端部をレピアテープ３のヘッドに頑丈で信頼性のある態様で接続するために、最も適応した材料及び形状で実現することができる。
【００２５】
予め形成されたクレスト４及びテープヘッド２も、接続要素５で予見される適切な固定開口又は穴６ａ，６ｂを設けられる。
【００２６】
本発明の例示した好適な実施例によると、補剛クレスト４は、好適にはＣ形断面を有するブラケット延長部７，８，９を備えてレピアテープ３上に延び、このブラケット延長部は、完全にプラスチック材料で、あるいは内部補強材を設けたプラスチック材料で作られ、Ｃ形の中央部分は、レピアテープ３の表面と平行であり、且つ、レピアテープ３とブラケット７，８，９との間にグリッパ１の表面を挿入できるように、レピアテープ３の表面から離れて位置されている。こうして、グリッパ１は、レピアテープ３と補剛クレスト４の延長部との間に押し込まれ堅固に固定することができる。
【００２７】
図３，４及び５に示した実施例において、７，８及び９で示された接続ブラケットは、クレスト４とレピアテープ３との間の熱可塑性接続射出部５の一部としたり、あるいは、別個に作られ、その後にねじ、リベット、熱可塑性要素及び／又は貼り付けによってクレスト４又は熱可塑性射出部５に接続することもできる。
【００２８】
結局、固定貫通穴６ａ，６ｂによってレピアテープヘッド２に固定されるグリッパ１の支持クレスト４は、下にあるレピアテープヘッド２に関して、当接状態であるいは所定の間隔を離れて、長手方向に配設され、且つ、射出成形によって実現された熱可塑性接続材料５によってレピアテープの全長又はほぼ全長に関して、好適にはレピアテープ３の表面に直角をなす位置に維持されており、この熱可塑性接続材料は、中断していてもいなくても、予め形成されたクレスト４の少なくとも一部分を囲み、クレスト４及びレピアテープヘッド２の固定穴６ａ，６ｂに挿入される。
【００２９】
熱可塑性材料は、さらに、中断していてもいなくても、レピアテープ３の表面上を延び、レピアテープ３は、レピアテープ３の先端で片持ち式に、射出７によってあるいは挿入ブラケット８で実現されたブラケット延長部を備えて延長されている。
さらに、挿入ブラケット９は、様々な形に作られた部分９ａ，９ｂで構成することができる。
【００３０】
どんな場合でも、ブラケット７，８，９はレピアテープ３と平行でそれから離間し、その結果、レピアテープ３、グリッパ１及びクレスト４の端部を挿入し一緒に堅固に束ね接続するために、ブラケットとレピアテープ３との間にグリッパ１を締着する。
【００３１】
前述のように、ブラケット延長部７，８，９は挿入され、ねじ、リベット、熱可塑性要素及び／又は貼り付けによって取り付けできる。
【００３２】
本発明の更なる特徴は、レピアテープ３の下側部分に、局部的な（中断した）あるいは連続した突出支持及び案内ブロック１０を可能な限り存在させることであり（それぞれ図６及び７を参照）、この支持及び案内ブロックは、グリッパがレピアテープ３の下面に関して突出した形状でレピアテープヘッド２に取り付けられる場合に使用できる。こうして、ヒ口内の経路に沿い、横方向経路に関してレピアテープヘッド２の最適な位置決めを得ることが可能となる。
【００３３】
上記説明から、本発明の目的及びその実現のための関連する方法と同様、レピア織機のためのレピアテープヘッドの改良された特徴が明らかである。
また、その利点も明らかである。
【００３４】
従って、本発明の実際の使用では、例示した細部の材料、形状及び寸法が必要に応じて任意のタイプにでき且つ技術的に同等の他のものと置き換えできることが明らかなように、発明的思想において内在する新規性の原則から逸脱することなく、幾多の他の変更がレピアテープヘッド及び方法についてなし得ることが明白である。
【図面の簡単な説明】
【００３５】
【図１】本発明によるレピアテープグリッパ組立体の斜視図である。
【図２】図１によるレピアテープグリッパ組立体の側面図である。
【図３】本発明の第１の実施例によるレピア織機のための改良したレピアテープヘッドの細部の斜視図である。
【図４】本発明の更なる実施例によるレピア織機のための改良したレピアテープヘッドの細部の斜視図である。
【図５】本発明の更なる実施例によるレピア織機のための改良したレピアテープヘッドの細部の斜視図である。
【図６】局部的な（中断した）案内ブロックを示す、本発明によるレピアテープヘッドの側面図である。
【図７】連続的な案内ブロックを示す、本発明によるレピアテープヘッドの側面図である。
【図１】
2007063740.tif 000003
【図２】
2007063740.tif 000004
【図３】
2007063740.tif 000005
【図４】
2007063740.tif 000006
【図５】
2007063740.tif 000007
【図６】
2007063740.tif 000008
【図７】
2007063740.tif 000009
【外国語明細書】
2007063740.tif 000010
2007063740.tif 000011
2007063740.tif 000012
2007063740.tif 000013
2007063740.tif 000014
2007063740.tif 000015
2007063740.tif 000016
2007063740.tif 000017
2007063740.tif 000018
2007063740.tif 000019
2007063740.tif 000020
2007063740.tif 000021
2007063740.tif 000022
2007063740.tif 000023
2007063740.tif 000024
2007063740.tif 000025
2007063740.tif 000026
2007063740.tif 000027
2007063740.tif 000028
2007063740.tif 000029
2007063740.tif 000030